(57)【特許請求の範囲】
【請求項１】
血液検体の識別番号と属性情報とを対応づけたテーブルを記憶したテーブル記憶手段を備えた患者管理コンピュータとネットワークを介して接続された血液細胞画像ファイリングシステムであって、
検査対象である血液検体の血液塗抹標本における血液細胞を目視することが可能な顕微鏡と、
顕微鏡の視野中の血液細胞を撮像して画像信号に変換し、その画像信号を出力する撮像手段と、
多数の血液細胞画像を記憶するためのデータベースと、
画像を表示することが可能な表示手段と、
血液検体の識別番号の入力、血液細胞の分類データの入力、および画像の取り込み指示の入力を行う入力手段と、
撮像手段から出力された画像信号を受け、受けた画像信号に基づいて画像を生成して表示手段に表示させる制御手段と、を備え、
制御手段が、血液検体の識別番号の入力により、入力された識別番号に対応する属性情報の問い合わせを患者管理コンピュータに行って、患者管理コンピュータから属性情報を受信し、受信した属性情報と、撮像手段により撮像された血液細胞画像と、入力された各血液細胞の分類データをカウントした分類カウント値を表示する分類カウンタとを表示する表示画面を表示手段に表示させ、画像の取り込み指示の入力により、表示画面に表示中の血液細胞画像を属性情報とともにデータベースに記憶させることを特徴とする血液細胞画像ファイリングシステム。
【請求項２】
前記顕微鏡が、血液塗抹標本を保持するステージと、ステージを移動させることが可能な移動手段をさらに有し、
入力手段が、移動手段の移動方向を指定する入力が可能であり、
制御手段が、移動手段を制御することにより、入力手段によって指定された移動方向に血液塗抹標本を保持したステージを移動させることを特徴とする請求項１記載の血液細胞画像ファイリングシステム。
【請求項３】
前記表示画面が、属性情報を表示するための属性表示領域、前記血液細胞画像を表示するための血液細胞表示領域および分類カウント値を表示するための分類カウンタ表示領域を備えたことを特徴とする請求項１または２記載の血液細胞画像ファイリングシステム。
【発明の詳細な説明】
【技術分野】
【０００１】
この発明は、血液細胞画像ファイリングシステムに関し、さらに詳しくは、顕微鏡から取り込んだ血液細胞などの画像を電子化し、属性情報と共にファイリングする血液細胞画像ファイリングシステムに関する。
【背景技術】
【０００２】
一般に、血液細胞の検査においては、「鏡検」と呼ばれる方法が採られている。これは、検査対象である血液をプレパラート上に乗せ、それを顕微鏡で覗いて目視により検査する方法である。
【０００３】
この検査では、通常、分類カウンタを用いて、所定域に存在する白血球の分類カウントを行う。そして、その分類カウントの作業中に赤血球や血小板の形態異常を発見した場合には、その異常細胞を顕微鏡に備えつけたビデオカメラ等で撮像し、その画像を検査対象の属性情報、例えばカルテ番号、氏名、年齢、性別、日付等と共に画像ファイリングシステムのデータベースにファイリングするようにしている。そして、検査終了後は、分類カウントの結果を印字するとともに、必要に応じて、異常血液細胞の画像を印刷して検査結果としていた。
【発明の開示】
【発明が解決しようとする課題】
【０００４】
しかしながら、このような血液細胞の検査においては、ファイリングしておきたいような画像は、分類カウント作業中に見つかることが多いが、従来では、分類カウント作業は専用の分類卓で行い、顕微鏡画像の取り込みは画像ファイリングシステムの端末キーボードを操作して行うようになっていた。そのため、検査対象の画像をファイリングする際には、分類卓側ですでに検査対象の属性情報を入力しているにもかかわらず、画像ファイリングシステム側で再度属性情報を入力しなければならない等の余分な作業が必要であった。
【課題を解決するための手段】
【０００５】
この発明は、血液検体の識別番号と属性情報とを対応づけたテーブルを記憶したテーブル記憶手段を備えた患者管理コンピュータとネットワークを介して接続された血液細胞画像ファイリングシステムであって、検査対象である血液検体の血液塗抹標本における血液細胞を目視することが可能な顕微鏡と、顕微鏡の視野中の血液細胞を撮像して画像信号に変換し、その画像信号を出力する撮像手段と、多数の血液細胞画像を記憶するためのデータベースと、画像を表示することが可能な表示手段と、血液検体の識別番号の入力、血液細胞の分類データの入力、および画像の取り込み指示の入力を行う入力手段と、撮像手段から出力された画像信号を受け、受けた画像信号に基づいて画像を生成して表示手段に表示させる制御手段と、を備え、制御手段が、血液検体の識別番号の入力により、入力された識別番号に対応する属性情報の問い合わせを患者管理コンピュータに行って、患者管理コンピュータから属性情報を受信し、受信した属性情報と、撮像手段により撮像された血液細胞画像と、入力された各血液細胞の分類データをカウントした分類カウント値を表示する分類カウンタとを表示する表示画面を表示手段に表示させ、画像の取り込み指示の入力により、表示画面に表示中の血液細胞画像を属性情報とともにデータベースに記憶させることを特徴とする血液細胞画像ファイリングシステムである。
【０００６】
上記構成においては、撮像手段が、血液塗抹標本を移動させることが可能な移動手段をさらに有し、入力手段が、移動手段の移動方向を指定する入力が可能であり、制御手段が、移動手段を制御することにより、入力手段によって指定された移動方向に血液塗抹標本を移動させる構成とすることが望ましい。
【０００７】
また、上記構成においては、制御手段が、属性情報を表示するための属性表示領域、血液細胞画像を表示するための血液細胞表示領域および分類カウント値を表示するための分類カウンタ表示領域を備えた表示画面を表示手段に表示させる構成とすることが望ましい。
【０００８】
さらに、上記構成においては、制御手段が、画像の取り込み指示の入力により、表示中の血液細胞画像と属性情報とをデータベースに記憶させる構成とすることが望ましい。
【発明の効果】
【０００９】
この発明によれば、属性情報の入力が不要となるとともに、分類データの入力作業と血液細胞画像のデータベースへの取り込み作業を連続して行うことができ、作業の効率化を図ることができる。
【発明を実施するための最良の形態】
【００１０】
この発明において、撮像手段としては、通常の顕微鏡にＣＣＤイメージセンサや、市販のビデオカメラ等を取り付けたものを用いることができる。
検査対象としては、血球や各種細胞、粒子等が想定される。
【００１１】
データベースとしては、多数の画像をその画像の属性情報、例えばカルテ番号、氏名、年齢、性別、日付等と共に記憶することが可能なものであればよく、ハードディスク装置や、書き込み可能な光磁気ディスク装置等の各種の記憶媒体を用いることができる。
【００１２】
表示手段としては、ＣＲＴディスプレイ装置やプラズマディスプレイ装置等の各種のディスプレイ装置を用いることができる。
入力手段としては、マウスのようなポインティングデバイスや、キーボード等の入力装置を用いることができる。
【００１３】
テーブル記憶手段としては、識別番号と属性情報とを対応づけたテーブルを記憶できるものであればよく、ＲＡＭやフロッピー（登録商標）ディスク装置等を用いることができる。
【００１４】
あるいは、このテーブル記憶手段としては、例えば、本発明の画像ファイリングシステムが病院内に設置されているような場合であれば、その病院に設けられたＤＰＳ（患者番号、患者名、性別、年齢、血液型、病棟、診療科、病名、病歴、担当医、所見等の患者の情報を記憶した患者管理システム）に、血液検査の検査日、検体番号、依頼番号、採取日、検体種別、検体コメント等が記憶されているので、このＤＰＳに本発明の画像ファイリングシステムを接続し、画像ファイリングシステム側から、識別番号として例えば検体番号を入力することによってその検体番号に対応する患者の属性情報をＤＰＳから得るようにする等、ＤＰＳをテーブル記憶手段として用いるようにしてもよい。
制御手段としては、ＣＰＵ，ＲＯＭ，ＲＡＭ，Ｉ／Ｏポートからなるマイクロコンピュータを用いることができる。
【００１５】
以下、図面に示す実施例に基づいてこの発明を詳述する。なお、これによってこの発明が限定されるものではない。
以下においては、本発明の画像ファイリングシステムを血液細胞画像ファイリングシステムに適用した例を挙げて説明する。
【００１６】
図１は血液細胞画像ファイリングシステムの構成を示すブロック図である。この血液細胞画像ファイリングシステムは、顕微鏡から取り込んだ血液細胞画像を電子化し、その属性情報とともにファイリングするシステムである。
【００１７】
この図において、１は血液細胞画像ファイリングシステムの本体、２は本体１に備えられたＣＲＴディスプレイ装置からなる表示装置、３は本体１に備えられ各種の血液細胞画像を任意に記憶することが可能なハードディスク装置からなるデータベース、４は血液細胞を拡大して見るための顕微鏡、５は顕微鏡４に取り付けられたＣＣＤカメラ、６は血液標本を採取したプレパラートを乗せるステージ、７は本体１からの指示を受けてステージ６をコントロールするステージコントローラ、８はフルカラーのＣＲＴディスプレイ装置からなるカラーモニター、９はリムーバブルバックアップ装置、１０はタブレット、１１はフィルムスキャナ、１２はイメージスキャナ、１３はカラープリンタ、１４はＤＰＳ（データ処理システム）、１５は本体１とＤＰＳ１４とを接続する専用線あるいは電話回線等からなるネットワークである。
本体１には、入力装置としてのキーボードおよびマウス（図示していない）が備えられている。
【００１８】
ステージ６はステージコントローラからのコントロールによって前後左右に移動することが可能である。このステージ６を前後左右に移動させるための機構は従来公知のものを用いている。
本体１とＤＰＳ１４とは、隣接して配置してもよいし、血液検査所と病院といったように離れた場所に配置してもよい。
【００１９】
ＤＰＳ１４は、病院内に設置された患者管理システムであり、このＤＰＳ１４には、患者番号、患者名、性別、年齢、血液型、病棟、診療科、病名、患者コメント、病歴、担当医、所見等の患者の属性情報（患者属性）が記憶されている。また、患者の血液検査を行う場合には、このＤＰＳ１４に、血液検査の検査日、検体番号、依頼番号、採取日、検体種別、検体コメント等の属性情報（検体属性）が記憶される。
【００２０】
これにより、血液細胞画像ファイリングシステムの本体１側から、検査対象とする血液の識別番号として例えば検体番号（血液を採取した容器に記載されている連続番号）を入力すれば、その検体番号に対応する患者属性や検体属性をＤＰＳ１４から得ることができる。これらの属性情報は、本体１側で血液細胞画像のファイリングに必要な特定の項目だけを選択して得ることができるようになっている。
【００２１】
このように、ＤＰＳ１４は、血液検査を行う場合の検体番号等の識別番号と、例えば患者番号、患者名、性別、年齢、血液型等の属性情報とを対応づけたテーブル記憶手段としての機能を持っている。
【００２２】
ＣＣＤカメラ５や、フィルムスキャナ１１あるいはイメージスキャナ１２で取り込まれた血液細胞の画像データは、ＤＰＳ１４より取り込んだ属性情報とともに本体１のデータベース３にファイリングされる。このファイリングの際に画像データとともに記憶される属性情報は、検体属性と患者属性とを合わせたものであり、本実施例においては、検査日、検体番号、依頼番号、採取日、検体種別、検体コメント、患者番号、患者名、性別、年齢、血液型、病棟、診療科、病名、患者コメント、分類名、画像コメントの項目である。本体１では、これらの属性情報の１つ又は複数をキーコードとして、データベース３から所望の画像データを検索することができる。
【００２３】
本体１は、本体１のキーボードを使用して、分類カウンタとして使用可能である。このカウントされた結果およびコメントは、ＤＰＳ１４へ送り込まれる。
血液細胞画像のファイリングシステムの記憶データは、カラープリンタ１３で印刷することができる。
【００２４】
この血液細胞画像ファイリングシステムは、上述したように、分類カウンタ機能を有しているが、この分類カウンタ機能を用いて、操作者は、「鏡検」と呼ばれる方法で、血液細胞の検査業務を行うことができる。
【００２５】
血液細胞画像のファイリングシステムのソフトウエア処理機能の一覧を図２に示す。この図に示すように、本血液細胞画像のファイリングシステムは、検体属性表示、患者属性表示、スキャッタグラム・粒度分布表示、コメント入力、顕微鏡画像取り込み、イメージスキャナ画像取り込み、フィルムスキャナ画像取り込み、カラープリンタ出力、分類カウンタ、バックアップ、ＤＰＳオンライン、患者データ時系列表示、データベース登録、データベース削除、データベース検索、メンテナンスの各処理機能を有している。
【００２６】
以下、これらの処理機能について業務に分けて説明する。業務機能には大きく分けて、検査業務と画像リストの２つの機能があるが、これらの検査業務の機能と画面リストの機能について説明する。
【００２７】
（１）検査業務の機能は以下のとおりである。
・検体の血液細胞画像データの取り込みを行い、データベース３へ登録する。
・検体の分類カウンティング行い、分類カウント結果をＤＰＳ１４へ登録する。・検査業務中の患者の以前の画像データの表示を行う。
・検査業務中の検体のスキャッタグラム、粒度分布をＤＰＳ１４へ問合わせ、画面に表示する。
・検査業務中の検体の検査結果、分類結果の表示を行う。
・詳細画像を表示し、コメントを付加する。
・顕微鏡画像のモニター表示を行う。
【００２８】
（２）画像リストの機能は以下のとおりである。
・画像データベースのリスト表示を行う。
・画像データベースの指定項目による検索を行う。
・選択画像の削除を行う。
・選択画像の属性変更を行う。
・選択画像データの患者の以前の画像データの表示を行う。
・選択画像データの検体のスキャッタグラム、粒度分布をＤＰＳ１４へ問い合わせ、画面に表示する。
・選択画像データの検査結果、分類結果をＤＰＳ１４へ問い合わせ、画面に表示する。
・選択画像データの検査結果ログを表示する。
・選択画像データの詳細画像を表示する。
【００２９】
これら業務機能の内、検査業務機能について詳述する。
図３は検査業務中における分類カウントデータの表示画面例を示す説明図である。
この図に示すように、検査業務中の表示画面には、属性表示領域２１と、細胞表示領域２２と、分類カウンタ表示領域２３が設定されており、属性表示領域２１にはＤＰＳ１４から得られた現在検査中の検査対象者の属性情報が表示され、細胞表示領域２２にはＣＣＤ３で撮像された血液細胞画像が表示され、分類カウンタ表示領域２３には検査中の分類カウント値が表示される。
【００３０】
血液細胞画像ファイリングシステムでは、ＣＣＤカメラ５から取り込んだ画像を属性情報とともにデータベース３にファイリングするのであるが、その際、目視する全ての血液細胞ではなく、操作者によって選択された特殊な細胞のみをファイリングする。
【００３１】
すなわち、この血液細胞画像ファイリングシステムでは、上述したように、分類カウンタ機能を用いて、「鏡検」と呼ばれる方法で、血液細胞の検査業務を行う場合、操作者は、検査対象である血液をプレパラートに採取し、それを顕微鏡で覗いて目視により所定範囲の血液細胞を確認しながら、本体１のキーボードから白血球の種別を入力する。
【００３２】
この入力においては、キーボードの０〜９，．（ピリオド），＋のキーに、それぞれ白血球の種別が対応づけられており、操作者は、Ｍ−ｂｌａ（単芽球）を見つければ“＋”キーを１回押下し、Ｐｒｏ（前骨髄球）を見つければ“９”キーを１回押下し、Ｍｙｅｌ（骨髄芽球）を見つければ“６”キーを一回押下する、というように、血液の種別毎にキーを押圧するようになっており、従来の分類カウンタと同じ操作で分類カウントを行うことができる。このようにして操作者によってキーが押圧される毎に、そのカウント値が分類カウンタ表示領域２３にリアルタイムに表示されてゆく。
【００３３】
操作者は、このような鏡検作業により、所定域に存在する白血球の分類カウントを行うのであるが、その分類カウントの作業中に赤血球や血小板の形態異常を発見した場合には、分類カウントの作業を行いながら、その異常細胞の画像を属性情報と共に本体１のデータベース３にファイリングすることができる。
【００３４】
このファイリングに際しては、本体１のキーボードのファンクションキーに“顕微鏡取込”という機能を設定しておき、保存すべき異常細胞を発見したときには、分類カウンタ表示領域２３の近傍にある細胞表示領域２２に表示された異常細胞を見ながら、この“顕微鏡取込”のファンクションキーを押圧することにより、血液細胞画像をデータベース３に取り込む。異常細胞の発見時点では、異常細胞はすでにＣＣＤカメラ５で撮像され、細胞表示領域２２に表示されているので、この細胞表示領域２２に表示されている血液細胞の画像が属性情報と共にデータベース３にファイリングされる。
【００３５】
血液細胞画像ファイリングシステムの本体１のキーボードには、前後・左右のスクロールキーがついており、このスクロールキーにより、ステージコントローラ７を介して、顕微鏡４のステージ６を前後・左右に移動させることができ、これにより、ステージ６上のプレパラートを任意の位置に移動させることができる。
【００３６】
このように、血液細胞画像ファイリングシステム側から、顕微鏡４に設けられたステージ６のステージコントローラー７へ簡単なコマンドを送るだけでプレパラートの移動が可能である。
【００３７】
これにより、操作者は、従来のように顕微鏡のコントロールボックスを操作することなく、画像のスクロール感覚で簡単にプレパラート上を精査できるため、検査業務の操作が非常にわかりやすくなり、リモートで所見を行う場合など、顕微鏡のコントロールボックスが離れた位置にある場合でも、容易にステージを操作することができる。
【００３８】
図４は検査業務中における検査対象者の過去の画像の表示画面例を示す説明図である。
この図に示すように、検査対象者の過去の画像を表示する場合には、６個所の画像表示領域２４〜２９が設定されており、各画像の右隣には、検査対象者の属性情報として、検査日、検体番号、依頼番号、採取日、患者番号、患者名、病名、患者コメント、分類名が表示される。
【００３９】
この表示例では、検査対象者の過去の画像が１８枚ある内、最新の６枚を表示している。
【００４０】
この表示は、分類カウントの検査業務中に行うことが可能であり、その場合には、検査対象の属性情報は、すでにＤＰＳ１４から得られているので、操作者は属性情報を再度指定することなく、表示画面の一部をマウスで指示するだけで、現在検査中の検査対象者の過去の画像一覧を簡単に画面に表示させることができる。
【００４１】
このようにして、検査対象者の過去の画像データを参照すれば、分類カウントの検査業務を行う上で、どのような血液細胞に注意をして目視すればよいか等の参考にすることができる。
【００４２】
なお、画像データは属性情報とともにファイリングされているので、分類カウントの業務を行っていない場合でも、検査日、検体番号、依頼番号、採取日、検体種別、検体コメント、患者番号、患者名、性別、年齢、血液型、病棟、診療科、病名、患者コメント、分類名、画像コメントの属性情報の１つ又は複数をキーコードとして、データベース３から所望の画像データをいつでも検索することができる。
【００４３】
図５は標準的な検査業務の処理内容を示すフローチャートであり、以下、このフローチャートに基づいて検査業務の処理内容を説明する。
検査業務においては、血液細胞画像ファイリングシステム側で、まず、鏡検依頼があり、標本が到着すると（ステップＳ１）、検体番号または依頼番号が入力される（ステップＳ２）。これにより、血液細胞画像ファイリングシステムでは、検体番号／依頼番号による問い合わせをＤＰＳ１４に対して行い、ＤＰＳ１４から属性・検査結果のデータが送信されてくる。
【００４４】
血液細胞画像ファイリングシステムでは、ＤＰＳ１４のデータを受け、検体・患者属性及び分析装置で測定した検査データを表示する（ステップＳ３）。この場合、ＤＰＳ１４からスキャッタグラムや粒度分布を取り込んで表示することもできる。
【００４５】
操作者により、鏡検作業が開始される（ステップＳ４）。すなわち、分類カウンタ機能を用いて入力、または他のカウンタの結果が手入力される。
ここで、操作者によって異常細胞等が発見された場合（ステップＳ５）、画像データとして記録が必要かどうかが操作者によって判断され（ステップＳ６）、画像データとして記録が必要であれば、画像データの取り込みを行い（ステップＳ７）、現在検査中の検査対象者の過去の画像データを参照する必要があると操作者が判断すれば（ステップＳ８）、患者画像データを検索して最新の画像データから時系列表示を行う（ステップＳ９）。
【００４６】
このステップＳ５〜Ｓ９については、分類カウントの途中または前後の任意の時点で何度でも実行することが可能である。
分類カウントの業務が終了すれば、結果をＤＰＳ１４に送信し（ステップＳ１０）、次の検体の鏡検が開始される（ステップＳ１１）。
【００４７】
このようにして、血液細胞画像ファイリングシステムに、端末のキーボードを用いて鏡検作業が行えるよう分類カウンタ機能を搭載することにより、分類カウント作業と、血液細胞画像の取り込み作業をシームレスに行うことができ、また属性等の入力が１回ですむため、作業の効率化を図ることができる。また、検査の省スペース化にも寄与する。さらに、血液細胞画像ファイリングシステムをＤＰＳに接続しているので、鏡検作業の過程で、患者・検体属性情報、検査結果情報等を画像とともに参照できることになり、非常に強力な情報系の構築が可能となる。
【００４８】
また、血液細胞画像ファイリングシステムに、例えばファンクションキーのようなコマンドボタンを設け、これを押下するだけで、現在検査中の検体の患者番号をキーにして自動的にデータベースを検索し、その患者の過去の画像データを集めて表示できるようにすることにより、患者番号の再入力作業が不要となり、どの画面からでもワンタッチで患者の過去のデータを呼び出せるため、診断業務の効率化を図ることができる。
【００４９】
さらに、血液細胞画像ファイリングシステムのキーボードに前後・左右のスクロールキーを設け、このスクロールキーにより、顕微鏡のステージを移動させて、プレパラートを移動させることができるようにすることにより、画像のスクロール感覚で簡単にプレパラート上を精査できるため、検査業務の操作が非常にわかりやすくなり、リモートで所見を行う場合など、顕微鏡が離れた位置に配置されている場合でも、容易にステージを操作することができる。
【図面の簡単な説明】
【００５０】
【図１】本発明による血液細胞画像ファイリングシステムの構成を示すブロック図である。
【図２】血液細胞画像のファイリングシステムのソフトウエア処理機能の一覧を示す説明図である。
【図３】検査業務中における分類カウントデータの表示画面例を示す説明図である。
【図４】検査業務中における検査対象者の過去の画像の表示画面例を示す説明図である。
【図５】標準的な検査業務の処理内容を示すフローチャートである。
【符号の説明】
【００５１】
１  本体
２  表示装置
３  データベース
４  顕微鏡
５  ＣＣＤカメラ
６  ステージ
７  ステージコントローラ
８  カラーモニター
９  リムーバブルバックアップ装置
１０  タブレット
１１  フィルムスキャナ
１２  イメージスキャナ
１３  カラープリンタ
１４  ＤＰＳ
１５  ネットワーク
【図１】
0004751051.tif 000002
【図２】
0004751051.tif 000003
【図３】
0004751051.tif 000004
【図４】
0004751051.tif 000005
【図５】
0004751051.tif 000006